(57)【要約】 【課題】  壁紙糊付機のロールの軸受けや該軸受けから外部に糊が浸入することなく良好な軸支状態が維持でき、長期に亘って均一な糊付作業が行える壁紙糊付機を提供す従来よりの提供。【解決手段】  糊付機本体の下部構体の側壁板に軸支されるロールの軸受けを、ロールの回転軸が貫挿される貫通軸孔と、該貫通軸孔の内周面に少なくとも一つ形成された環状溝と、該環状溝内に所定の圧縮状態で装着される弾性部材からなるＯ−リングとを備えたものとし、該Ｏ−リングが、前記圧縮により発生する応力により前記ロールの回転軸に所定の押し付け力を持って接するものとした。【選択図】      図１
2005035173.tif 000002
【特許請求の範囲】
【請求項１】
糊付機本体の上部構体と下部構体との間にシート状壁装材を挟み、上下構体のそれぞれの左右両側壁板に軸受けを介して回転可能に軸支された複数のロールによって前記壁装材を糊付機本体後面部から前面部へ所定の経路に沿って搬送させながら、前記下部構体に軸支されている糊付けロールによって壁装材裏面に連続的に糊を塗布する壁紙糊付機において、
前記下部構体の側壁板に軸支されるロールの軸受けは、ロールの回転軸が貫挿される貫通軸孔と、該貫通軸孔の内周面に少なくとも一つ形成された環状溝と、該環状溝内に所定の圧縮状態で装着される弾性部材からなるＯ−リングとを備えたものであり、該Ｏ−リングは、前記圧縮により発生する応力により前記ロールの回転軸に所定の押し付け力を持って接することを特徴とする壁紙糊付機。
【請求項２】
前記下部構体の左右両側壁板に軸支されるロールには、前記糊付けロールに付着する糊を調整するために糊付けロールに近接配置されるドクターロールが含まれることを特徴とする請求項１に記載の壁紙糊付機。
【請求項３】
前記ドクターロールの軸受けは、ドクターロールと糊付けロールとの相対間隔を変更可能に調整するための調整ギアが一体に設けられていると共に、該調整ギアを正逆回転可能とするように前記下部構体の側壁板に回動可能に嵌合されており、該軸受けの回動中心から偏心した位置でドクターロールの回転軸が軸支されていることを特徴とする請求項２に記載の壁紙糊付機。
【発明の詳細な説明】
【技術分野】
【０００１】
本発明は、例えば屋内壁面にシート状壁装材を貼付ける際に該壁装材の裏面に連続的に糊を塗布する壁紙糊付機に関するものであり、特に、ドクターロール等のロール回転軸の軸受けに関するものである。
【背景技術】
【０００２】
壁紙糊付機の一般的な構成としては、糊付機本体の内部に複数のロールが配置された上部構体と下部構体の間に挟み込んだシート状壁装材（以下、クロスと記す）をロールで本体後面部から引き入れて前面側へ搬送しながら下部構体内に装着されている糊タンク内にの糊を該タンクに軸支されている糊掻上げロールですくい上げて糊付けロールに転写し、この糊付けロールによりクロス壁装材裏面に塗付していくものである。
【０００３】
各ロールは、上部構体及び下部構体の左右両側壁に軸受けを介して回転可能に軸支されており、側壁外側でギアを介して互いに連動回転するようにあるいは単に追従回転するように配置されている。糊付けロールは、糊タンク上方で糊掻上げロールに接するように下部構体の左右両側壁に軸支されている。
【０００４】
通常は、この糊付けロールに近接配置することにより糊付けロールに付着している糊量を調整するためドクターロールも下部構体の左右側壁に軸支されている。このドクターロールは、ロール表面同士に所定の間隙が形成されるように糊付けロールとの相対間隔が設定されており、糊付けロール表面上に付着した糊は、ドクターロールとの接触により前記間隙相当の糊厚に調整されてから壁装材裏面に転写塗付されていく。従って、ドクターロールと糊付けロールとの相対間隔によって壁装材裏面に塗布される糊厚が決定されることとなる。
【０００５】
そこで、糊付け対象となる壁装材毎に、その材質や用いる糊の種類に応じた糊量（糊厚）が選択されるが、同一装置においてこの糊量を容易に変更できるように、ドクターロールと糊付けロールとの相対間隔を変更可能に調整するための調整手段を設けた壁紙糊付機もある（例えば、特許文献１、特許文献２参照。）。
【０００６】
【特許文献１】特開平８−６６６５１号公報
【特許文献２】特開２００２−１１８９号公報
【発明の開示】
【発明が解決しようとする課題】
【０００７】
しかしながら、上記のような壁紙糊付機では、使用時間の経過に伴って、各ロールの回転軸が貫挿される軸受けの軸孔が摩耗していくため、特に糊付けロールにおいてこのような摩耗により軸受けでの軸支状態が不安定になると、糊付け回転の際にガタついて均一な糊塗付が困難になることも考えられる。
【０００８】
また、糊量を調整するために相対間隔を微妙に変更調整していた糊付けロールとドクターロールでは、このような軸受けの摩耗による僅かな位置ずれで相対間隔の調整精度が維持できなくなる問題も生じる。
【０００９】
そこで、このような摩耗やそれによる位置ずれ、ガタツキを回避するために、軸受けにベアリング機構を利用したものもある。しかし、下部構体に軸支されるローラにおいては、糊タンクに近い配置であり、また実際に糊が付着されるものもあることから、糊が回転軸に沿って軸受け内にまで浸入することがあり、ベアリング機構に支障を生じせしめる問題がある。
【００１０】
一方、上記のようにドクターロールの糊付けロールに対する相対間隔を変更可能に調整する手段が設けられている壁紙糊付機では、ドクターロールの軸受け部材を利用してこの調整手段を構成しているものもある。例えば、側壁板に回動可能に形成される軸受けに該軸受けの回動中心から偏心した位置でドクターロールの回転軸を軸支すると共にその軸受けの側壁板外側に位置する側に扇形の調整ギアを一体に形成し、この調整ギアに一端側が歯合する歯合部材と該部材の他端部を回動中心として回動させるレバーとを備えたものがある。
【００１１】
このレバーの端部は糊付機本体の外部に設けられた目盛板上を移動するものであり、この移動量に応じた角度だけ回動させられる歯合部材によって調整ギアが回動され、これに伴って軸受けも所定角度分回動することによって、この回動中心から偏心した位置で軸支されているドクターロールが移動し、糊付けロールに対する相対間隔が変更されるものである。このような調整手段では、軸受けから調整手段の構成部分に糊が浸入すると、各構成部材間の連結、連動に支障が生じ、高精度な糊厚調整が行えなくなるという問題も生じ得る。
【００１２】
本発明の目的は、上記問題点に鑑み、壁紙糊付機の特に下部構体の左右側壁板に軸受けを介して軸支されている各ロールにおいて、その軸受けや該軸受けから外部に糊が浸入することなく良好な軸支状態が維持でき、長期に亘って均一な糊付作業が行える壁紙糊付機を提供することにある。また、本発明は、糊付けロールとドクターロールとの相対間隔を調整する糊厚調整手段を有するものの場合、長期に亘って良好な調整精度が維持できる壁紙糊付機の提供を目的とする。
【課題を解決するための手段】
【００１３】
上記目的を達成するため、請求項１に記載の発明に係る壁紙糊付機は、糊付機本体の上部構体と下部構体との間にシート状壁装材を挟み、上下構体のそれぞれの左右両側壁板に軸受けを介して回転可能に軸支された複数のロールによって前記壁装材を糊付機本体後面部から前面部へ所定の経路に沿って搬送させながら、前記下部構体に軸支されている糊付けロールによって壁装材裏面に連続的に糊を塗布する壁紙糊付機において、前記下部構体の側壁板に軸支されるロールの軸受けは、ロールの回転軸が貫挿される貫通軸孔と、該貫通軸孔の内周面に少なくとも一つ形成された環状溝と、該環状溝内に所定の圧縮状態で装着される弾性部材からなるＯ−リングとを備えたものであり、該Ｏ−リングは、前記圧縮により発生する応力により前記ロールの回転軸に所定の押し付け力を持って接することを特徴とするものである。
【００１４】
また、請求項２に記載の発明に係る壁紙糊付機は、請求項１に記載の壁紙糊付機において、前記下部構体の左右両側壁板に軸支されるロールには、前記糊付けロールに付着する糊を調整するために糊付けロールに近接配置されるドクターロールが含まれるものである。
【００１５】
また、請求項３に記載の発明に係る壁紙糊付機は、請求項２に記載の壁紙糊付機において、前記ドクターロールの軸受けは、ドクターロールと糊付けロールとの相対間隔を変更可能に調整するための調整ギアが一体に設けられていると共に、該調整ギアを正逆回転可能とするように前記下部構体の側壁板に回動可能に嵌合されており、該軸受けの回動中心から偏心した位置でドクターロールの回転軸が軸支されていることを特徴とするものである。
【発明の効果】
【００１６】
本発明は、壁紙糊付機の下部構体の側壁板に軸支されるロールの軸受けを、貫通軸孔の内周面に少なくとも一つ形成された環状溝内に弾性部材からなるＯ−リングが所定の圧縮状態で装着されたものとしたことにより、Ｏ−リングが前記圧縮により発生する応力による所定の押し付け力を持ってロールの回転軸に接するものであるため、この軸受けは、Ｏ−リングより外側への糊の漏れを防ぐ密封作用を有し、ロール回転による振動に対しても糊密封状態を維持しつつ長期に亘って安定にロールを軸支することができるので、本発明による壁紙糊付機においては、軸受け内への糊の浸入による悪影響は回避され、長期に亘って均一で良好な糊付作業が行えるという効果がある。
【発明を実施するための最良の形態】
【００１７】
本発明の壁紙糊付機では、下部構体の側壁板に軸受けを介して軸支されるロールにおいて、その軸受けとして、ロール回転軸を貫挿させて受け入れるための貫通軸孔の内周面に一つ以上の環状溝が形成され、該環状溝内に弾性部材からなるＯ−リングが所定の圧縮状態で装着されたものを用いるものである。
【００１８】
従って、この軸受けにより軸支されるロールでは、ロール回転軸がＯ−リングの圧縮により発生する応力によって所定の押し付け力を持って支持されるものであるため、このＯ−リングによる押圧部分が軸受けのシール部となり、回転軸に沿って外方へ出て行こうとする糊も、このシール部により封じられ、それより外側への漏れが防止される。
【００１９】
このようなＯ−リングによる押し付け力を伴った回転軸の支持状態では、回転軸は常にその軸中心方向へ付勢されるため、その軸支位置が常に安定に維持される同軸合せ効果も得られる。よって、本発明の壁紙糊付機では、糊タンクに近い位置で下部構体に配置されるロールを、上記の如き構成の軸受けを介して軸支するため、軸受け内およびそれより外部への糊の浸入を封止し、ロール回転による振動に対しても安定にロールを軸支することができ、長期に亘って均一で良好な糊付作業が行える。
【００２０】
特に、糊付けロールは、このような糊封止作用を有する軸受けを介して下部構体に軸支されることによって、糊の浸入が阻止されながらも上記のような同軸合わせ効果も得られ、長期に亘って安定した糊付け回転が行われる。
【００２１】
さらに、この糊付けロールとドクターロールにおいては、互いの相対位置の変更調整による糊量調整にあたって、まず糊付けロールの安定な位置付けが維持され、それに対するドクターロールの相対位置調整も、例えばドクターロール軸受けの下部構体側壁板の外方側に設けられた調整ギアを含む調整機構への糊の浸入による悪影響も回避されるため、常に精度の高い糊量調整が行える。
【００２２】
なお、軸受けに形成される環状溝と該溝内に装着されるＯ−リングによって構成されるシール部は、少なくとも軸受けに一つ設ければ、前記糊密封作用と同軸作用は充分発揮されるが、本発明においては、これに限定されるものではなく、例えば、軸受けの下部構体側壁板の本体内側寄りと外側寄りとの２カ所に設けるなど、シール部を複数箇所にしてより高い糊密封作用及び同軸合わせ効果を確保する構成としても良い。
【００２３】
また、本発明で用いられるＯ−リングとしては、長期の使用期間に亘って、各ロールの回転軸への適度な押圧力による前記密封作用を維持しつつ軸回転による摩耗に抗することができる弾性力と強度とを備えたものであれば良く、例えばニトリルゴム、スチレンブタジエンゴム、シリコーンゴム、フッ素ゴム、アクリルゴム、クロロプレンゴム、エチレンプロピレンゴム、ブチルゴムなどの耐摩耗性の高いの各種合成ゴム、合成樹脂等が広く使用可能である。
【００２４】
また、本発明のＯ−リングは、断面円形のものに限らず、回転軸に対して適度な接触幅を形成できるものであればよく、複数個のシールリップを有するものでもよい。また、回転軸の回転を滑らかにするため、Ｏ−リングと回転軸との接触面間に油膜を介在せしめて使用してもよい。
【００２５】
なお、本発明は、自動式及び手動式にかかわらず、回転ロールを用いる壁紙糊付機であればいずれのタイプでも有効であることは言うまでもない。
【実施例】
【００２６】
本発明の一実施例として、壁紙糊付機の下部構体に軸支されるローラの軸受けを図１および図２に示す。図１は、ドクターロール用の軸受けの構成を示すものであり、（ａ）はドクターロール回転軸の本軸受けによる軸支状態を示す概略断面図、（ｂ）は軸受けの部材構成を示す正面図、（ｃ）は側断面図である。図２は、ドクターロール以外の糊付けロール等のドクターロール以外のロール用の軸受けの部材構成を示す概略模式図であり（ａ）は正面図、（ｂ）は側断面図である。
【００２７】
本実施例では、図１に示すように、ドクターロール用の軸受け１として糊量調整機構と連動するタイプのものについて例示する。本軸受け１は、下部構体の左右両側壁板２０に、回動可能に嵌合されているものであり、側壁板２０の外側に、扇形の調整ギア５が一体に形成されている。なお、本軸受け１は、ドクターロール回転軸Ｄの左右両端の軸支に用いられるものであるが、左右両軸受けは互いに対称で同じ機構を有するものであるので、ここでは説明の簡便のため、一方の側の軸受けのみを図示して説明するものとする。
【００２８】
本軸受け１では、軸受け１の回動中心から予め定められた距離だけ偏心して貫通軸孔４が形成されている。この貫通軸孔４の内周面には、側壁板２０に対して糊付機本体内側寄りと外側よりの２カ所に環状溝（２ａ，２ｂ）が形成されている。ドクターロール回転軸Ｄは、貫通軸孔４に貫挿され、該貫通軸孔４から突出する先端部が駆動用ギア２１に嵌合されるものである。
【００２９】
貫通軸孔４内では、ドクターロール回転軸Ｄは、各環状溝（２ａ，２ｂ）の内に所定の圧縮状態で装着される断面円形状のフッ素ゴム製Ｏ−リング（３ａ，３ｂ）を介して受け入れられる。従って、回転軸Ｄに押圧接触するＯ−リング（３ａ，３ｂ）により、回転軸表面上はシールされ、Ｏ−リング（３ａ，３ｂ）より外側への糊の漏れは防止される。
【００３０】
なお、軸受け１の扇形の調整ギア５には、歯合部材６の一端側が歯合し、不図示のレバーによって歯合部材６がその他端部を中心に回動される。このレバーの端部は糊付機本体の外部に設けられた目盛板（不図示）上を移動するものであり、このレバーの移動量に応じた角度だけ回動させられる歯合部材６によって調整ギア５が回動され、これに伴って軸受け１も所定角度分回動し、この回動中心から偏心した位置で軸支されているドクターロールが移動し、糊付けロールに対する相対間隔が変更されるものである。
【００３１】
本実施例では、軸受け１は、このような調整手段と連動し、その一部を構成するものであるが、軸受け１のシール作用によって、軸受け１から調整ギア５及び他の調整手段の構成部分へと糊が浸入することはなく、糊による各構成部材間の連結、連動に支障が生じる問題は回避され、常に高精度な糊厚調整が行える。
【００３２】
また、図２に示すように、本実施例の糊付けロール用軸受け１１は、外形六角形状を有し、下部構体の側壁板２０に嵌入装着されて固定される。軸受け１１には、糊付けロール回転軸が貫挿される貫通軸孔１４が形成されており、該貫通軸孔１４から突出する回転軸先端は、駆動用ギアに嵌合されており、糊付作業時には、駆動源からの回転運動が該駆動用ギアを介して伝達され、糊付けロールを所定の速度で回転させる。
【００３３】
貫通軸孔１４の内周面には、側壁板２０に対して本体内側寄りおよび外側寄りの２カ所に環状溝（１２ａ，１２ｂ）が形成されており、貫通軸孔１４内への回転軸の貫挿の際には、環状溝（１２ａ，１２ｂ）内に所定の圧縮状態で装着されるＯ−リングを介して受け入れられる。
【００３４】
従って、回転軸に適度な押圧力を持って接触するＯ−リングにより、糊付けロール回転軸の表面上はシールされ、Ｏ−リングより外側への糊の漏れは防止されると同時に、常に同軸合わせ効果も発揮されるため、糊付けロールは、軸受け１１に何ら糊による悪影響が生じることなく、常に安定した回転で、均一で良好な糊付けが行われる。
【００３５】
なお、上記糊付けロール用軸受け１１の構成は、例えば、糊付けロールの前方に配置される均しロールなど他のロールの軸受けとして共通のものを用いることができる。また下部構体に軸支される他のロールのなかでも、比較的糊タンクから離れて糊の付着し難い配置のもの、例えば下側ピンチロールなどでは、環状溝とＯ−リングカラなるシール部を一箇所設けただけの軸受けとしても、シール効果は充分である。
【図面の簡単な説明】
【００３６】
【図１】本発明の一実施例による壁紙糊付機のドクターロール用軸受けを示す概略構成図である。
【図２】本発明の一実施例による壁紙糊付機の糊付けロール用軸受けを示す概略構成図である。
【符号の説明】
【００３７】
１：ドクターロール用軸受け
２ａ，２ｂ，１２ａ，１２ｂ：環状溝
３ａ，３ｂ：Ｏ−リング
４：貫通軸孔
５：調整ギア
６：歯合部材
１１：糊付けロール用軸受け
２０：下部構体の側壁板
２１：駆動ギア
【図１】
2005035173.tif 000003
【図２】
2005035173.tif 000004